(57)【要約】【課題】  人体の骨折や脱臼、捻挫などの治療または予防を目的とした医療用固定材であって、通気性がよく、患者の皮膚表面にかぶれや痒みを生じさせることを抑制するとともに、触感的な不快感を生じさせることを抑制し、さらには、医療用固定材を用いて患部を固定しながら治療機器を用いて骨折や脱臼、捻挫などの回復を促すことができる医療用固定材を提供する。【解決手段】  医療用固定材１は、樹脂層２と緩衝材層３とが積層されて成る。樹脂層２は、厚み方向に貫通した複数の第１貫通孔１１ａが設けられた、予め定める条件下で軟化状態から硬化状態へと変化する性質を有する樹脂から成る層である。緩衝材層３は、複数の第１貫通孔１１ａにそれぞれ連通するように厚み方向に貫通した複数の第２貫通孔１１ｂが設けられた、布、多孔材料、およびゴム状弾性を有する材料から選ばれる緩衝材から成る層である。【選択図】      図１
2016220959.tif 000002
【特許請求の範囲】
【請求項１】
人体の患部に巻き付けられて該患部を固定するために用いられる、シート状の医療用固定材であって、
厚み方向に貫通した複数の第１貫通孔が設けられた、予め定める条件下で軟化状態から硬化状態へと変化する性質を有する樹脂から成る第１層と、
前記第１層に積層され、前記複数の第１貫通孔にそれぞれ連通するように厚み方向に貫通した複数の第２貫通孔が設けられた、布、多孔材料およびゴム状弾性を有する材料から選ばれる材料から成る第２層と、を含むことを特徴とする医療用固定材。
【請求項２】
前記樹脂は、熱可塑性樹脂、熱硬化性樹脂および光硬化性樹脂から選ばれることを特徴とする請求項１に記載の医療用固定材。
【請求項３】
前記ゴム状弾性を有する材料は、シリコンゴムまたはポリウレタンであることを特徴とする請求項１または２に記載の医療用固定材。
【請求項４】
前記樹脂は、硬化状態の曲げ強さが５０〜２５０ＭＰａであることを特徴とする請求項１〜３のいずれか１つに記載の医療用固定材。
【発明の詳細な説明】
【技術分野】
【０００１】
本発明は、人体の骨折や脱臼、捻挫などの治療または予防を目的とした医療用固定材に関する。
【背景技術】
【０００２】
従来、骨折や脱臼、捻挫などを生じた部位などの患部を動かさないように固定するために、硬直包帯が用いられている。一般的な硬直包帯は、ガーゼ生地に石膏末を含ませたギブス包帯であって、これを使用する際は、まず、患部に副木を当ててその上からガーゼ包帯を巻き、更にその上から、水で濡らしたギブス包帯を巻き付けて、当該ギブス包帯に含ませた石膏を硬化させることにより、患部を固定するギブス（石膏型）を成形するようになっている。
【０００３】
このようなギブス包帯は、水に溶けた石膏が硬化して石膏型となるまでに長時間を要し、その硬化中に発熱を伴う。また、石膏型は、重くて、通気性も悪く、石膏が患者の皮膚の水分を過剰に吸収して、皮膚表面にかぶれや痒みを生じさせることもあるので、患者に与える負担が大きいし、石膏粉で衣服などを汚すおそれがある。さらに、石膏型は、Ｘ線を透過しにくいため、患部のレントゲン撮影ができないという問題もある。
【０００４】
ギブス包帯の上記問題点を解決する硬直包帯として、特許文献１，２には、熱可塑性樹脂組成物によって帯状の無結節ネットに成形されて成る硬直包帯が開示されている。このような熱可塑性樹脂を用いた硬直包帯は、これを熱湯に浸すか、あるいはヘアドライヤーの熱風を吹き付けて加熱し軟化させてから、患部に巻き付け、その上から手で軽く押圧して、包帯全体を患部にフィットした形に成形すると同時に、包帯の巻き重ね部分を自己接着させて一体化形状に成形した後、これを冷却硬化させて、患部を固定する硬直型とするようになっている。
【０００５】
また、医療分野においては、硬直包帯以外にも、骨折や脱臼、捻挫などの治療または予防を目的として様々な医療用固定材が用いられている。硬直包帯以外の医療用固定材としては、たとえば、特許文献３に開示されるような光硬化性樹脂から成るシート体を用いたものが提案されている。
【先行技術文献】
【特許文献】
【０００６】
【特許文献１】特開２００１−１１２８１４号公報
【特許文献２】登録実用新案第３０５１３７３号公報
【特許文献３】特開２００９−２７３８７５号公報
【発明の概要】
【発明が解決しようとする課題】
【０００７】
特許文献１，２に開示されるような硬直包帯は、患部を固定するための十分な強度を確保するためには、幾重にも患部に巻き付ける必要があり、結局のところ、通気性が悪く、硬直包帯で被覆された患者の皮膚表面にかぶれや痒みを生じさせることもあり、患者に不快感を生じさせる。
【０００８】
また、特許文献３に開示されるような光硬化性樹脂から成るシート体を用いた医療用固定材は、患部を固定するための十分な強度を確保しようとすると、光硬化性樹脂から成るシート体自体に、硬化後の高強度化が必要である。このような高強度のシート体が患部に直接的に接触すると、触感的な不快感を患者に生じさせてしまうので、従来の光硬化性樹脂から成るシート体を用いた医療用固定材では、シート体と患部との間に緩衝材のような別部材を用いる必要がある。
【０００９】
また、近年、骨折などの回復を促す治療機器として、超音波骨折治療器や骨電気刺激装置が市販されている。このような治療機器は、パッドを患部に接触させて治療を行うものである。上記従来の硬直包帯や医療用固定材を用いて患部を固定すると、その固定中には、治療機器のパッドを患部に接触させることができず、医療用固定材を用いて患部を固定しながら治療機器を用いて骨折や脱臼、捻挫などの回復を促すことができない。
【００１０】
本発明の目的は、人体の骨折や脱臼、捻挫などの治療または予防を目的とした医療用固定材であって、通気性がよく、患者の皮膚表面にかぶれや痒みを生じさせることを抑制するとともに、触感的な不快感を生じさせることを抑制し、さらには、医療用固定材を用いて患部を固定しながら治療機器を用いて骨折や脱臼、捻挫などの回復を促すことができる医療用固定材を提供することである。
【課題を解決するための手段】
【００１１】
本発明は、人体の患部に巻き付けられて該患部を固定するために用いられる、シート状の医療用固定材であって、
厚み方向に貫通した複数の第１貫通孔が設けられた、予め定める条件下で軟化状態から硬化状態へと変化する性質を有する樹脂から成る第１層と、
前記第１層に積層され、前記複数の第１貫通孔にそれぞれ連通するように厚み方向に貫通した複数の第２貫通孔が設けられた、布、多孔材料およびゴム状弾性を有する材料から選ばれる材料から成る第２層と、を含むことを特徴とする医療用固定材である。
【００１２】
また本発明の医療用固定材において、前記樹脂は、熱可塑性樹脂、熱硬化性樹脂および光硬化性樹脂から選ばれることを特徴とする。
【００１３】
また本発明の医療用固定材において、前記ゴム状弾性を有する材料は、シリコンゴムまたはポリウレタンであることを特徴とする。
【００１４】
また本発明の医療用固定材において、前記樹脂は、硬化状態の曲げ強さが５０〜２５０ＭＰａであることを特徴とする。
【発明の効果】
【００１５】
本発明によれば、医療用固定材は、シート状であり、第１層と第２層とが積層された積層構造を有する。第１層は、厚み方向に貫通した複数の第１貫通孔が設けられた、予め定める条件下で軟化状態から硬化状態へと変化する性質を有する樹脂から成る層である。第２層は、複数の第１貫通孔にそれぞれ連通するように厚み方向に貫通した複数の第２貫通孔が設けられた、布、多孔材料およびゴム状弾性を有する材料から選ばれる材料から成る層である。
【００１６】
上記のように構成された医療用固定材は、第１層の厚み方向に貫通した複数の第１貫通孔と、前記複数の第１貫通孔にそれぞれ連通するように第２層の厚み方向に貫通した複数の第２貫通孔と、を有するので、医療用固定材を患部に巻き付けて患部を固定しているときの通気性がよく、患者の皮膚表面にかぶれや痒みなどの不快感を生じさせることを抑制することができる。さらに、医療用固定材を用いて患部を固定しながら、第１貫通孔および第２貫通孔から露出した患者の皮膚表面に、超音波骨折治療器などの治療機器のパッドを直接的に接触させることができ、治療機器による骨折などの回復を促すことができる。
【００１７】
さらに、本発明の医療用固定材は、予め定める条件下で軟化状態から硬化状態へと変化する性質を有する樹脂から成る第１層を有する。第１層を構成する樹脂が軟化状態で医療用固定材を患部に巻き付け、その上から手の平などを使って押圧し、医療用固定材を患部にフィットした形に成形させた後、予め定める条件下で樹脂を硬化状態へと変化させることによって、患部を固定することができる。なお、医療用固定材を患部に巻き付けるときには、硬直包帯のように幾重にも巻き付けるのではなく、医療用固定材の周方向両端部間に予め定める長さの隙間が生じるように巻き付けることで、患部を固定するときの固定力を十分に確保することができる。医療用固定材を患部に巻き付けるときの前記隙間は、医療用固定材を装着したときに脱落しない長さに適宜設定される。
【００１８】
また、本発明の医療用固定材は、布、多孔材料およびゴム状弾性を有する材料から選ばれる材料から成る第２層を有する。この第２層が患部に接触する側となるように医療用固定材を患部に巻き付けて、患部を固定する。第２層は、布、多孔材料およびゴム状弾性を有する材料から選ばれる材料から成るので、第２層が患部に接触する側となるように医療用固定材を患部に巻き付けて患部を固定するときに、この第２層が硬化状態の第１層と患部との間の緩衝材としての機能を果たし、触感的な不快感を患者に生じさせることを抑制することができる。
【００１９】
また本発明によれば、第１層を構成する、予め定める条件下で軟化状態から硬化状態へと変化する性質を有する樹脂は、熱可塑性樹脂、熱硬化性樹脂または光硬化性樹脂によって実現することができる。
【００２０】
また本発明によれば、第２層を構成するゴム状弾性を有する材料が、シリコンゴムまたはポリウレタンである。シリコンゴムおよびポリウレタンは、撥水性を有する材料であるので、医療用固定材を装着したまま、たとえばお風呂に入浴するなどして、医療用固定材が水に濡れたとしても、速乾性に優れたものとなる。
【００２１】
また本発明によれば、第１層を構成する樹脂は、硬化状態の曲げ強さが５０〜２５０ＭＰａである。このような曲げ強さを有する樹脂によって第１層が構成されることによって、医療用固定材を用いて患部を固定しているときの固定力を、強いものとすることができる。
【図面の簡単な説明】
【００２２】
【図１】本発明の第１実施形態に係る医療用固定材１の構成を示す斜視図である。
【図２】図１に示す医療用固定材１を切断面線Ａ−Ａから見た断面図である。
【図３】医療用固定材１の使用例を示す斜視図である。
【図４】本発明の第２実施形態に係る医療用固定材１Ａの構成を示す斜視図である。
【図５】図４に示す医療用固定材１Ａを切断面線Ａ−Ａから見た断面図である。
【図６】医療用固定材１Ａの使用例を示す斜視図である。
【発明を実施するための形態】
【００２３】
以下、本発明を実施するための形態について図面を参照しつつ説明する。図１は、本発明の第１実施形態に係る医療用固定材１の構成を示す斜視図である。図２は、図１に示す医療用固定材１を切断面線Ａ−Ａから見た断面図である。図３は、医療用固定材１の使用例を示す斜視図である。
【００２４】
本実施形態の医療用固定材１は、シート状であり、人体の骨折や脱臼、捻挫などの治療または予防に用いられ、骨折や脱臼、捻挫などを生じた部位などの患部に巻き付けられて患部を動かさないように固定するためのものである。
【００２５】
医療用固定材１の形状は、特に限定されるものではなく、たとえば矩形板状である。また、医療用固定材１の大きさについても、特に限定されるものではなく、たとえば人体の下肢、上肢および体幹などの大きさに応じて複数種類の大きさを準備しておけばよい。なお、医療用固定材１の厚みは、たとえば、０．５〜４．０ｍｍである。
【００２６】
医療用固定材１は、第１層である樹脂層２と、第２層である緩衝材層３とが積層された積層構造を有する。樹脂層２と緩衝材層３とは、接着層４を介して積層される。接着層４は、従来公知の接着剤によって構成され、樹脂層２と緩衝材層３とを接着する。接着剤としては、たとえば、酢酸ビニル樹脂を主成分とする水性系接着剤、アクリル系接着剤、ゴム系接着剤などが挙げられる。
【００２７】
樹脂層２は、厚み方向に貫通した複数の第１貫通孔１１ａが設けられた、予め定める条件下で軟化状態から硬化状態へと変化する性質を有する樹脂から成る層である。
【００２８】
樹脂層２に設けられる複数の第１貫通孔１１ａの形状、大きさ、および個数については、特に限定されるものではなく、図１に示す例では、各第１貫通孔１１ａは平面視で三角形状に形成される。各第１貫通孔１１ａの形状、大きさは、それぞれ同一であっても、異なっていてもよい。なお、各第１貫通孔１１ａの大きさは、超音波骨折治療器などの治療機器のパッドが内接または挿通可能な大きさであることが好ましい。また、複数の第１貫通孔１１ａは、樹脂層２の平面視で、樹脂層２の全面積に対して第１貫通孔１１ａの合計面積が３０〜５５％となるように形成されることが好ましい。これによって、医療用固定材１を患部に巻き付けて患部を固定しているときの通気性を良好に保持することができるとともに、医療用固定材１の患部を固定する固定力を十分に確保することができる。
【００２９】
樹脂層２を構成する、予め定める条件下で軟化状態から硬化状態へと変化する性質を有する樹脂は、熱可塑性樹脂、熱硬化性樹脂および光硬化性樹脂から選ばれる。
【００３０】
熱可塑性樹脂は、ガラス転移温度または軟化点まで加熱することによって軟らかくなり、目的の形に成形でき、軟化点以下に冷却することで軟化状態から硬化状態へと変化する樹脂である。軟化点５０〜１００℃の熱可塑性樹脂が好適である。熱可塑性樹脂としては、たとえば、ポリエチレン、ポリプロピレン、ポリ塩化ビニル、ポリスチレン、ポリ酢酸ビニル、ポリウレタン、ポリテトラフルオロエチレン、アクリロニトリル−ブタジエン−スチレン共重合樹脂（ＡＢＳ樹脂）、アクリロニトリル−スチレン共重合樹脂（ＡＳ樹脂）、アクリル樹脂などが挙げられる。
【００３１】
熱硬化性樹脂は、加熱することで軟化状態から硬化状態へと変化する樹脂である。熱硬化性樹脂としては、たとえば、フェノール樹脂、エポキシ樹脂、メラミン樹脂、尿素樹脂（ユリア樹脂）、不飽和ポリエステル樹脂、アルキド樹脂、ポリイミドなどが挙げられる。なお、熱硬化性樹脂を用いる場合には、樹脂層２に、従来公知の熱硬化性樹脂用の硬化剤が添加される。
【００３２】
光硬化性樹脂は、光を照射することで軟化状態から硬化状態へと変化する樹脂である。光硬化性樹脂としては、従来公知のものを挙げることができ、たとえば、イソシアネート基を２つ有するジイソシアネート化合物とアクリル酸エステルから得られるウレタン（メタ）アクリレートオリゴマーと、４００〜７００ｎｍの光を吸収する光重合開始剤とを含むもの、イソシアネート基を３つ以上有するポリイソシアネートと活性水素基を有する（メタ）アクリル酸誘導体によって得られるウレタン系（メタ）アクリル酸誘導体オリゴマーと、４００〜７００ｎｍの光を吸収する光重合開始剤とを含むもの、が挙げられる。
【００３３】
また、樹脂層２を構成する樹脂は、硬化状態の曲げ強さが５０〜２５０ＭＰａであることが好ましく、さらに、硬化状態の引張り強さが２０〜１２０ＭＰａであることがより好ましい。このような曲げ強さ、引張り強さを有する樹脂によって樹脂層２が構成されることによって、医療用固定材１を用いて患部を固定しているときの固定力を、強いものとすることができる。なお、樹脂層２を構成する樹脂の、硬化状態の曲げ強さは、ＪＩＳ  Ｋ６９１１：２００６に準拠して測定され、硬化状態の引張り強さは、ＪＩＳ  Ｒ３４５３：２００６に準拠して測定される。
【００３４】
また、樹脂層２を構成する樹脂は、前述した熱可塑性樹脂、熱硬化性樹脂および光硬化性樹脂から選ばれる樹脂と炭素繊維とが複合化されて成る炭素繊維強化樹脂であってもよい。炭素繊維強化樹脂は、炭素繊維を強化材とし樹脂をマトリクスとする複合材料である。このような、炭素繊維強化樹脂によって樹脂層２が構成されることによって、医療用固定材１を用いて患部を固定しているときの固定力を、強いものとすることができる。
【００３５】
緩衝材層３は、樹脂層２に接着層４を介して積層され、樹脂層２に設けられた複数の第１貫通孔１１ａにそれぞれ連通するように厚み方向に貫通した複数の第２貫通孔１１ｂが設けられた層であり、布、多孔材料およびゴム状弾性を有する材料から選ばれる材料から成る。
【００３６】
緩衝材層３は、医療用固定材１が患部に巻き付けられて患部を固定する際に、患部に接触する側となる。緩衝材層３が患部に接触する側となるように医療用固定材１を患部に巻き付けて患部を固定するときに、この緩衝材層３が硬化状態の樹脂層２と患部との間の緩衝材としての機能を果たす。
【００３７】
緩衝材層３に設けられる複数の第２貫通孔１１ｂの形状、大きさ、および個数は、樹脂層２に設けられる第１貫通孔１１ａと同じであり、図１に示す例では、各第２貫通孔１１ｂは平面視で三角形状に形成される。各第２貫通孔１１ｂの形状、大きさは、第１貫通孔１１ａと同様に、それぞれ同一であっても、異なっていてもよい。なお、各第２貫通孔１１ｂの大きさは、第１貫通孔１１ａと同様に、超音波骨折治療器などの治療機器のパッドが挿通可能な大きさであることが好ましい。また、複数の第２貫通孔１１ｂは、緩衝材層３の平面視で、緩衝材層３の全面積に対して第２貫通孔１１ｂの合計面積が３０〜５５％となるように形成されることが好ましい。これによって、医療用固定材１を患部に巻き付けて患部を固定しているときの通気性を良好に保持することができるとともに、医療用固定材１の患部を固定する固定力を十分に確保することができる。
【００３８】
緩衝材層３を構成する材料は、布、多孔材料およびゴム状弾性を有する材料から選ばれる。布としては、たとえば、絹または木綿のいずれかの繊維から成るガーゼ、繊維を織らずに絡み合わせたシート状の不織布などが挙げられる。多孔材料は、複数の気孔が形成された材料である。多孔材料としては、たとえば、ポリウレタンを発泡成形することで得られる発泡ポリウレタン、天然スポンジなどが挙げられる。
【００３９】
ゴム状弾性を有する材料としては、たとえば、シリコンゴム、ブタジエン−スチレンゴム、ブタジエンアクリロニトリルゴム、クロロプレン、ポリブタジエン、ブチルゴム、エチレンプロピレンゴム、ポリウレタンなどが挙げられる。これらの中でも、シリコンゴム、ポリウレタンが好ましい。シリコンゴムおよびポリウレタンは、撥水性を有する材料であるので、医療用固定材１を装着したまま、たとえばお風呂に入浴するなどして、医療用固定材１が水に濡れたとしても、速乾性に優れたものとなる。
【００４０】
以上のように構成される医療用固定材１は、樹脂層２の厚み方向に貫通した複数の第１貫通孔１１ａと、前記複数の第１貫通孔１１ａにそれぞれ連通するように緩衝材層３の厚み方向に貫通した複数の第２貫通孔１１ｂと、を有するので、医療用固定材１を患部に巻き付けて患部を固定しているときの通気性がよく、患者の皮膚表面にかぶれや痒みなどの不快感を生じさせることを抑制することができる。
【００４１】
さらに、医療用固定材１を用いて患部を固定しながら、第１貫通孔１１ａおよび第２貫通孔１１ｂから露出した患者の皮膚表面に、超音波骨折治療器などの治療機器のパッドを直接的に接触させることができ、治療機器による骨折などの回復を促すことができる。
【００４２】
さらに、本実施形態の医療用固定材１は、予め定める条件下で軟化状態から硬化状態へと変化する性質を有する樹脂から成る樹脂層３を有する。樹脂層３を構成する樹脂が軟化状態で医療用固定材１を患部に巻き付け、その上から手の平などを使って押圧し、医療用固定材１を患部にフィットした形に成形させた後、予め定める条件下で樹脂を硬化状態へと変化させることによって、患部を固定することができる。
【００４３】
樹脂層３を構成する樹脂が熱可塑性樹脂である場合、ヘアドライヤーなどの熱風で熱可塑性樹脂を加熱軟化させるか、あるいは湯に浸して熱可塑性樹脂を加熱軟化させた状態で医療用固定材１を患部に巻き付け、その上から手の平などを使って押圧し、医療用固定材１を患部にフィットした形に成形させた後、冷却することで熱可塑性樹脂を硬化状態へと変化させ、患部を固定する。
【００４４】
樹脂層３を構成する樹脂が熱硬化性樹脂である場合、医療用固定材１を患部に巻き付け、その上から手の平などを使って押圧し、医療用固定材１を患部にフィットした形に成形させた後、加熱することで熱硬化性樹脂を硬化状態へと変化させ、患部を固定する。
【００４５】
樹脂層３を構成する樹脂が光硬化性樹脂である場合、医療用固定材１を患部に巻き付け、その上から手の平などを使って押圧し、医療用固定材１を患部にフィットした形に成形させた後、所定波長の光を照射することで光硬化性樹脂を硬化状態へと変化させ、患部を固定する。
【００４６】
なお、医療用固定材１を患部に巻き付けるときには、硬直包帯のように幾重にも巻き付けるのではなく、医療用固定材１の周方向両端部間に予め定める長さの隙間が生じるように巻き付けることで、患部を固定するときの固定力を十分に確保することができる。医療用固定材１を患部に巻き付けるときの前記隙間は、医療用固定材１を装着したときに脱落しない長さに適宜設定される。
【００４７】
また、本実施形態の医療用固定材１は、布、多孔材料およびゴム状弾性を有する材料から選ばれる材料から成る緩衝材層３を有する。この緩衝材層３が患部に接触する側となるように医療用固定材１を患部に巻き付けて、患部を固定する。緩衝材層３は、布、多孔材料およびゴム状弾性を有する材料から選ばれる材料から成るので、緩衝材層３が患部に接触する側となるように医療用固定材１を患部に巻き付けて患部を固定するときに、この緩衝材層３が硬化状態の樹脂層２と患部との間の緩衝材としての機能を果たし、触感的な不快感を患者に生じさせることを抑制することができる。
【００４８】
また、医療用固定材１は、図１〜図３に示すように、医療用固定材１を患部に巻き付けるときの周方向に直交する方向の両端部に、貫通孔が設けられていない貫通孔未形成領域１２を有する。このような貫通孔未形成領域１２を有することによって、医療用固定材１の患部を固定する固定力を向上させることができる。
【００４９】
図４は、本発明の第２実施形態に係る医療用固定材１Ａの構成を示す斜視図である。図５は、図４に示す医療用固定材１Ａを切断面線Ａ−Ａから見た断面図である。図６は、医療用固定材１Ａの使用例を示す斜視図である。
【００５０】
本実施形態の医療用固定材１Ａは、第１貫通孔１１Ａａおよび第２貫通孔１１Ａｂの形状が前述の第１貫通孔１１ａおよび第２貫通孔１１ｂと異なる以外は第１実施形態の医療用固定材１と同様に構成される。
【００５１】
医療用固定材１Ａの形状は、特に限定されるものではなく、たとえば矩形板状である。また、医療用固定材１Ａの大きさについても、特に限定されるものではなく、たとえば人体の下肢、上肢および体幹などの大きさに応じて複数種類の大きさを準備しておけばよい。なお、医療用固定材１Ａの厚みは、たとえば、０．５〜４．０ｍｍである。
【００５２】
医療用固定材１Ａは、樹脂層２Ａと緩衝材層３Ａとが積層された積層構造を有する。樹脂層２Ａと緩衝材層３Ａとは、接着層４Ａを介して積層される。接着層４Ａは、前述した医療用固定材１の接着層４と同様に、従来公知の接着剤によって構成され、樹脂層２Ａと緩衝材層３Ａとを接着する。
【００５３】
樹脂層２Ａは、厚み方向に貫通した複数の第１貫通孔１１Ａａが設けられた、予め定める条件下で軟化状態から硬化状態へと変化する性質を有する樹脂から成る層である。
【００５４】
樹脂層２Ａに設けられる複数の第１貫通孔１１Ａａの形状、大きさ、および個数については、特に限定されるものではなく、図４に示す例では、各第１貫通孔１１Ａａは平面視で円形状に形成される。各第１貫通孔１１Ａａの形状、大きさは、それぞれ同一であっても、異なっていてもよい。なお、各第１貫通孔１１Ａａの大きさは、超音波骨折治療器などの治療機器のパッドが内接または挿通可能な大きさであることが好ましい。また、複数の第１貫通孔１１Ａａは、樹脂層２Ａの平面視で、樹脂層２Ａの全面積に対して第１貫通孔１１Ａａの合計面積が３０〜５５％となるように形成されることが好ましい。これによって、医療用固定材１Ａを患部に巻き付けて患部を固定しているときの通気性を良好に保持することができるとともに、医療用固定材１Ａの患部を固定する固定力を十分に確保することができる。
【００５５】
樹脂層２Ａを構成する、予め定める条件下で軟化状態から硬化状態へと変化する性質を有する樹脂は、前述した医療用固定材１の樹脂層２と同様に、熱可塑性樹脂、熱硬化性樹脂および光硬化性樹脂から選ばれる。
【００５６】
また、樹脂層２Ａを構成する樹脂は、前述の樹脂層２を構成する樹脂と同様に、硬化状態の曲げ強さが５０〜２５０ＭＰａであることが好ましく、さらに、硬化状態の引張り強さが２０〜１２０ＭＰａであることがより好ましい。このような曲げ強さ、引張り強さを有する樹脂によって樹脂層２Ａが構成されることによって、医療用固定材１Ａを用いて患部を固定しているときの固定力を、強いものとすることができる。
【００５７】
緩衝材層３Ａは、樹脂層２Ａに接着層４Ａを介して積層され、樹脂層２Ａに設けられた複数の第１貫通孔１１Ａａにそれぞれ連通するように厚み方向に貫通した複数の第２貫通孔１１Ａｂが設けられた層であり、布、多孔材料およびゴム状弾性を有する材料から選ばれる材料から成る。
【００５８】
緩衝材層３Ａは、医療用固定材１Ａが患部に巻き付けられて患部を固定する際に、患部に接触する側となる。緩衝材層３Ａが患部に接触する側となるように医療用固定材１Ａを患部に巻き付けて患部を固定するときに、この緩衝材層３Ａが硬化状態の樹脂層２Ａと患部との間の緩衝材としての機能を果たす。
【００５９】
緩衝材層３Ａに設けられる複数の第２貫通孔１１Ａｂの形状、大きさ、および個数は、樹脂層２Ａに設けられる第１貫通孔１１Ａａと同じであり、図４に示す例では、各第２貫通孔１１Ａｂは平面視で円形状に形成される。各第２貫通孔１１Ａｂの形状、大きさは、第１貫通孔１１Ａａと同様に、それぞれ同一であっても、異なっていてもよい。なお、各第２貫通孔１１Ａｂの大きさは、第１貫通孔１１Ａａと同様に、超音波骨折治療器などの治療機器のパッドが挿通可能な大きさであることが好ましい。また、複数の第２貫通孔１１Ａｂは、緩衝材層３Ａの平面視で、緩衝材層３Ａの全面積に対して第２貫通孔１１Ａｂの合計面積が３０〜５５％となるように形成されることが好ましい。これによって、医療用固定材１Ａを患部に巻き付けて患部を固定しているときの通気性を良好に保持することができるとともに、医療用固定材１Ａの患部を固定する固定力を十分に確保することができる。
【００６０】
緩衝材層３Ａを構成する材料は、前述した医療用固定材１の緩衝材層３と同様に、布、多孔材料およびゴム状弾性を有する材料から選ばれる。
【００６１】
以上のように構成される医療用固定材１Ａは、樹脂層２Ａの厚み方向に貫通した複数の第１貫通孔１１Ａａと、前記複数の第１貫通孔１１Ａａにそれぞれ連通するように緩衝材層３Ａの厚み方向に貫通した複数の第２貫通孔１１Ａｂと、を有するので、医療用固定材１Ａを患部に巻き付けて患部を固定しているときの通気性がよく、患者の皮膚表面にかぶれや痒みなどの不快感を生じさせることを抑制することができる。
【００６２】
さらに、医療用固定材１Ａを用いて患部を固定しながら、第１貫通孔１１Ａａおよび第２貫通孔１１Ａｂから露出した患者の皮膚表面に、超音波骨折治療器などの治療機器のパッドを直接的に接触させることができ、治療機器による骨折などの回復を促すことができる。
【００６３】
さらに、本実施形態の医療用固定材１Ａは、予め定める条件下で軟化状態から硬化状態へと変化する性質を有する樹脂から成る樹脂層３Ａを有する。樹脂層３Ａを構成する樹脂が軟化状態で医療用固定材１Ａを患部に巻き付け、その上から手の平などを使って押圧し、医療用固定材１Ａを患部にフィットした形に成形させた後、予め定める条件下で樹脂を硬化状態へと変化させることによって、患部を固定することができる。
【００６４】
また、本実施形態の医療用固定材１Ａは、布、多孔材料およびゴム状弾性を有する材料から選ばれる材料から成る緩衝材層３Ａを有する。この緩衝材層３Ａが患部に接触する側となるように医療用固定材１Ａを患部に巻き付けて、患部を固定する。緩衝材層３Ａは、布、多孔材料およびゴム状弾性を有する材料から選ばれる材料から成るので、緩衝材層３Ａが患部に接触する側となるように医療用固定材１Ａを患部に巻き付けて患部を固定するときに、この緩衝材層３Ａが硬化状態の樹脂層２Ａと患部との間の緩衝材としての機能を果たし、触感的な不快感を患者に生じさせることを抑制することができる。
【００６５】
また、医療用固定材１Ａは、図４〜図６に示すように、医療用固定材１Ａを患部に巻き付けるときの周方向に直交する方向の両端部に、貫通孔が設けられていない貫通孔未形成領域１２Ａを有する。このような貫通孔未形成領域１２Ａを有することによって、医療用固定材１Ａの患部を固定する固定力を向上させることができる。
【符号の説明】
【００６６】
１，１Ａ  医療用固定材
２，２Ａ  樹脂層
３，３Ａ  緩衝材層
４，４Ａ  接着層
１１ａ，１１Ａａ  第１貫通孔
１１ｂ，１１Ａｂ  第２貫通孔
【図１】
2016220959.tif 000003
【図２】
2016220959.tif 000004
【図３】
2016220959.tif 000005
【図４】
2016220959.tif 000006
【図５】
2016220959.tif 000007
【図６】
2016220959.tif 000008